(57)【要約】  緊急の携帯用浄水装置は、自然災害又は人的災害によって汚染された水を浄化するために、個人によって使用することができる。装置は、軽量、自己内蔵型であり、浄水器に一体化された拡張可能なシールカラーを使用することによって大部分の標準ボトルネックに嵌合し、余分の力の供給を必要としない。水は、ボトルの側面に対する圧力又はマウスピースからの吸引によってフィルターを通して押し進められる。浄水器は、水出口に残渣収集領域及び迅速嵌合の交換可能なマウスピースバルブを有する水入口を有する。水は凝結され、大きな粒子、残渣及び沈殿物が特定の残渣収集領域に収容される。次に、水はミクロンネットを通過して、残りの粒子を除去し、活性炭チャンバを通して螺旋形状を介して水出口に押し進められる。【選択図】なし
2013542048.tif 000002
【特許請求の範囲】
【請求項１】
個人用の水浄化装置であって、水入口及び残渣収集領域が残渣及び沈殿物を減少させ、分離し、かつ前記残渣及び沈殿物がフィルターをブロックする程度に水フィルター及びミクロンネットに入ることを阻止し、前記残渣及び沈殿物の大部分が前記残渣収集領域に留まる、個人用の水浄化装置。
【請求項２】
凝固する凝結吸着材料の使用により、有機的な生物学的及び化学的な汚染物質の大部分が凝固され、前記汚染物質が前記残渣収集領域に捕捉されることを可能にする、個人用の水浄化装置。
【請求項３】
螺旋形状及び活性炭により水が前記フィルター内に維持される時間が増大され、炭素粒子によるガスの吸着を可能にする、個人用の水浄化装置。
【請求項４】
特別な迅速嵌合の取り外し可能な交換可能なマウスピースバルブにより、ユーザが浄化された水流を任意に開放し、閉鎖し、また使用することができる、個人用の水浄化装置。
【発明の詳細な説明】
【技術分野】
【０００１】
本発明は、個人用の携帯用浄水システムに関し、より詳細には、ボトルネックに取り付けることができ、自己内蔵型であり、自然に供給されるか又は人による余分の力の供給を必要としない個人用の携帯装置に関する。
【背景技術】
【０００２】
人間は、平均的な状態の下で清浄な飲料水なしには数日間を越えて生きることができない。水は人体の６０%を占め、循環及び他の身体機能のために必要である。地震、台風、豪雨及び他の大災害などの自然災害の場合、インフラストラクチャが危険にさらされ、水供給が汚染される可能性が高い。清浄な飲料水の供給を回復する速度は人間が生き残るための至上命題である。個人用の浄水器は、災害状態が通常の水源からの飲用を許容しない場合に、清浄な快い味の飲料水の入手を可能にするであろう。水は、汚染された水源から取水し、許容レベルに浄化することが可能である。個人用の浄水器は、緊急事態において、飲料水の源が通常の使用に不適切であるときに常に使用することができる。水は、通常の給水系統を通してパイプで送られる水とは別の湖池水たまり及び同様の水源から取水することが可能である。
【発明を実施するための形態】
【０００３】
個人用の水浄化装置は、変化するサイズの穴（２）及び残渣収集領域（３）を有する水入口が好ましくは組み込まれたプラスチック複合材料のシェルユニット（１）と、迅速嵌合の交換可能なシール可能なマウスピースバルブ（４）を反対側端部に有する浄化された水出口（４）とから成る。水浄化シェルユニットはシールされる。水浄化装置シェルの内部で、水濾過ユニット（５）は、外部環境からシールされ、また（変化するサイズの）濾過ネットと、水が螺旋形状に入るためのアクセス領域（７）を有する、（８）活性炭を有する内側フィルター壁と、有孔出口フィルター（９）及び迅速嵌合のマウスピースバルブ用の水出口管（１０）とから構成される。個人用の水浄化装置は大部分のボトルに嵌合できる。
【０００４】
浄水装置は、水中の生物学的、化学的及び有機的（コロイド）汚染物質を除去するか又は減少させる凝固する凝結吸着材料と関連して働く。水入口部分は、残渣及び沈殿物を減少させ、分離し、かつそれらが水濾過部分に入ることを阻止するのを助けるための残渣収集領域により設計される。その場合、水は水室を通して水濾過ユニット内に通過する。ミクロンネットは、最後のミクロンサイズの粒子を水から除去する。水は活性炭フィルター内を通り続け、ここでガスが吸着されて、除去される。悪い味も除去される。螺旋形状は、水が活性炭を通過する時間量を増加するように作用し、活性炭の吸着時間を増大させる。迅速嵌合のマウスピースバルブは水出口管に嵌合される。迅速嵌合のマウスピースバルブは、着色され、衛生及び多数のユーザ目的のために取り外し可能かつ交換可能である。バルブの外壁が共に押圧されると、バルブは開放し、水が流れることを可能にする。外壁が解放され、バルブが閉じられると、水は通過できない。
【０００５】
指示シート
個人用の携帯用水浄化装置
人間は、平均的な状態の下で清浄な飲料水なしには数日間を越えて生きることができない。水は人体の６０%を占め、循環及び他の身体機能のために必要である。地震、台風、豪雨及び他の大災害などの自然災害の場合、インフラストラクチャが危険にさらされ、水供給が汚染される可能性が高い。清浄な飲料水の供給を回復する速度は人間が生き残るための至上命題である。個人用の浄水器Nahlapurは、災害状態が通常の水源からの飲用を許容しない場合に、清浄な快い味の飲料水の入手を可能にするであろう。水は、汚染された水源から取水し、許容レベルに浄化することが可能である。
【０００６】
個人用の携帯用浄水器
個人用の携帯用浄水器の意図は、水が欠乏している緊急事態に、当該装置を使用できるように汚染された悪い味の水を許容レベルに浄化することである。水は凝固する凝結材料の活性炭によって濾過され、浄化される。
【０００７】
個人用の水浄化装置は、水中の生物学的、化学的及び有機的汚染物質を除去するか又は減少させる凝固する凝結吸着材料を使用する。当該装置は３つの主部分を有する。外側シェルは、
１）組み込まれた水入口及び残渣収集領域
２)内部の水フィルターユニット
３)迅速嵌合の取り外し可能なマウスピースバルブを有する。
【０００８】
使用上の指示。
Ｎａｈｌａｐｕｒ浄水器は、通常の水供給が遮断されるか又は危険にさらされるときの緊急事態に使用される。各々の水フィルターは、５５０リットルの飲料水に、あるいは流れる水に新鮮な味がしなくなるまで使用することができる。凝固する凝結材料のため、なお安全に水を飲むことができる。浄水器は携帯可能であり、使用が容易である。衛生目的で、迅速嵌合のマウスピースバルブは、簡単に引っ張って外して、他のバルブに置き換えることによって交換することができる。
【０００９】
使用に必要な品目
浄水器を取り付けるボトルネックを有する１.０リットル以下のボトル。
【００１０】
Ｎａｈｌａｐｕｒ浄水器を使用する方法
・凝固する凝結剤サッシェをボトル内に空ける。
・少なくとも一（１）分間ゆっくりと撹拌する。三（３）分間、ボトルをそのままにする。
・浄水器をボトルの上にはめ合わせ、ネックが充分にシールされていることを確認する。
・３０秒間ボトルの底部をグルグル回す。７分間待つ。
・今や、ボトルを傾け、口又は指でつまんで迅速嵌合のマウスピースを開くことによって浄水器から水を飲むことができる。
【００１１】
個人用の水浄化装置は、水中の生物学的、化学的及び有機的汚染物質を除去するか又は減少させる凝固する凝結吸着材料を使用する。当該装置は４つの主部分を有する。外側シェルは、１）組み込まれた水入口及び残渣収集領域、２)内部の水フィルターユニット、３)頂部カバー、及び４)迅速嵌合の取り外し可能なマウスピースバルブを有することが好ましい。
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
個人用の水浄化装置であって、
（ａ）水入口と、
（ｂ）前記水入口に入る水サンプルから沈殿物を収集するように構成された残渣収集領域と、
（ｃ）前記水サンプルからガスを吸着するように構成された螺旋形状のフィルターと、
（ｄ）マウスピースと、
を備える個人用の水浄化装置。
【請求項２】
ミクロンサイズの粒子を前記水サンプルから除去するように構成されたミクロンネットをさらに備える請求項１に記載の個人用の水浄化装置。
【請求項３】
水密に取り付けてボトル上に取り付けられるように構成された請求項１又は２に記載の個人用の水浄化装置。
【請求項４】
前記マウスピースがバルブを備える、請求項１〜３のうちいずれか一項に記載の個人用の水浄化装置。
【請求項５】
前記マウスピースが前記水浄化装置から取り外し可能である、請求項１〜４のうちいずれか一項に記載の個人用の水浄化装置。
【請求項６】
前記螺旋形状のフィルターが活性炭を含有する、請求項１〜５のうちいずれか一項に記載の個人用の水浄化装置。
【請求項７】
システムであって、
ｉ．個人用の水浄化装置であって、
（ａ）水入口と、
（ｂ）前記水入口に入る水サンプルから沈殿物を収集するように構成された残渣収集領域と、
（ｃ）前記水サンプルからガスを吸着するように構成された螺旋形状のフィルターと、
を備える個人用の水浄化装置と、
ｉｉ．１つ以上のマウスピースと、
ｉｉｉ．凝固する凝結吸着材料と、
を備えるシステム。
【請求項８】
異なる色の２つ以上のマウスピースを備える、請求項７に記載のシステム。
【請求項９】
前記凝固する凝結吸着材料が活性炭である、請求項７又は８に記載のシステム。
【請求項１０】
水密に取り付けて前記個人用の水浄化装置に取り付けられるように構成されたボトルをさらに備える、請求項７又は８に記載のシステム。
【請求項１１】
水サンプルを浄化するための方法であって、
（ａ）個人用の水浄化装置であって、
（ｉ）水入口と、
（ｉｉ）前記水入口に入る水サンプルから沈殿物を収集するように構成された残渣収集領域と、
（ｉｉｉ）前記水サンプルからガスを吸着するように構成された螺旋形状のフィルターと、
（ｉｖ）１つ以上のマウスピースとを備える個人用の水浄化装置を用意するステップと、
（ｂ）凝固する凝結吸着材料を用意するステップと、
（ｃ）水密に取り付けて前記個人用の水浄化装置に取り付けられるように構成されたボトルを用意するステップと、
（ｄ）前記水サンプルを前記ボトルに導入するステップと、
（ｅ）凝固する凝結吸着材料を水のボトルに加えるステップと、
（ｆ）前記ボトル内の水を撹拌するステップと、
（ｇ）水密に取り付けて前記個人用の水浄化装置を前記ボトルに取り付けるステップと、
（ｈ）マウスピースを前記個人用の水浄化装置に取り付けるステップと、
（ｉ）前記マウスピースから吸い込む間に前記ボトルを傾けるステップと、
を含む方法。
【請求項１２】
次のステップ、すなわち、
（ａ）少なくとも１分間前記水のボトルを撹拌するステップと、
（ｂ）前記個人的用の浄水装置を前記ボトルに取り付けた後に前記ボトルをくるくる回すステップと、
（ｃ）前記個人的用の浄水装置を前記ボトルに取り付けた後に前記ボトルをくるくる回し、次に少なくとも７分間の時間を待機するステップと、
から選択される１つ以上のステップをさらに含む、請求項１１に記載の方法。
【手続補正２】
【補正対象書類名】図面
【補正対象項目名】全図
【補正方法】追加
【補正の内容】
【図１】
2013542048.tif 000003
【図２】
2013542048.tif 000004
【手続補正３】
【補正対象書類名】明細書
【補正対象項目名】全文
【補正方法】変更
【補正の内容】
【発明の詳細な説明】
【技術分野】
【０００１】
本発明は、個人用の携帯用浄水システムに関し、より詳細には、ボトルネックに取り付けることができ、自己内蔵型であり、自然に供給されるか又は人による余分の力の供給を必要としない個人用の携帯装置に関する。
【背景技術】
【０００２】
人間は、平均的な状態の下で清浄な飲料水なしには数日間を越えて生きることができない。水は人体の６０%を占め、循環及び他の身体機能のために必要である。地震、台風、豪雨及び他の大災害などの自然災害の場合、インフラストラクチャが危険にさらされ、水供給が汚染される可能性が高い。清浄な飲料水の供給を回復する速度は人間が生き残るための至上命題である。個人用の浄水器は、災害状態が通常の水源からの飲用を許容しない場合に、清浄な快い味の飲料水の入手を可能にするであろう。水は、汚染された水源から取水し、許容レベルに浄化することが可能である。個人用の浄水器は、緊急事態において、飲料水の源が通常の使用に不適切であるときに常に使用することができる。水は、通常の給水系統を通してパイプで送られる水とは別の湖池水たまり及び同様の水源から取水することが可能である。
【図面の簡単な説明】
【０００３】
【図１】水入口、残渣収集領域、濾過ユニット及びマウスピースバルブを有する水出口を有する、本発明の一実施態様にしたがった浄水器を示す。
【図２】図１の浄水器内で使用される濾過ユニットを示す。
【発明を実施するための形態】
【０００４】
個人用の水浄化装置は、変化するサイズの穴（２）及び残渣収集領域（３）を有する水入口が好ましくは組み込まれたプラスチック複合材料のシェルユニット（１）と、迅速嵌合の交換可能なシール可能なマウスピースバルブ（４）を反対側端部に有する浄化された水出口（４）とから成る。水浄化シェルユニットはシールされる。水浄化装置シェルの内部で、水濾過ユニット（５）は、外部環境からシールされ、また（変化するサイズの）濾過ネットと、水が螺旋形状に入るためのアクセス領域（７）を有する、（８）活性炭を有する内側フィルター壁と、有孔出口フィルター（９）及び迅速嵌合のマウスピースバルブ用の水出口管（１０）とから構成される。個人用の水浄化装置は大部分のボトルに嵌合できる。
【０００５】
浄水装置は、水中の生物学的、化学的及び有機的（コロイド）汚染物質を除去するか又は減少させる凝固する凝結吸着材料と関連して働く。水入口部分は、残渣及び沈殿物を減少させ、分離し、かつそれらが水濾過部分に入ることを阻止するのを助けるための残渣収集領域により設計される。その場合、水は水室を通して水濾過ユニット内に通過する。ミクロンネットは、最後のミクロンサイズの粒子を水から除去する。水は活性炭フィルター内を通り続け、ここでガスが吸着されて、除去される。悪い味も除去される。螺旋形状は、水が活性炭を通過する時間量を増加するように作用し、活性炭の吸着時間を増大させる。迅速嵌合のマウスピースバルブは水出口管に嵌合される。迅速嵌合のマウスピースバルブは、着色され、衛生及び多数のユーザ目的のために取り外し可能かつ交換可能である。バルブの外壁が共に押圧されると、バルブは開放し、水が流れることを可能にする。外壁が解放され、バルブが閉じられると、水は通過できない。
【０００６】
指示シート
個人用の携帯用水浄化装置
人間は、平均的な状態の下で清浄な飲料水なしには数日間を越えて生きることができない。水は人体の６０%を占め、循環及び他の身体機能のために必要である。地震、台風、豪雨及び他の大災害などの自然災害の場合、インフラストラクチャが危険にさらされ、水供給が汚染される可能性が高い。清浄な飲料水の供給を回復する速度は人間が生き残るための至上命題である。個人用の浄水器Nahlapurは、災害状態が通常の水源からの飲用を許容しない場合に、清浄な快い味の飲料水の入手を可能にするであろう。水は、汚染された水源から取水し、許容レベルに浄化することが可能である。
【０００７】
個人用の携帯用浄水器
個人用の携帯用浄水器の意図は、水が欠乏している緊急事態に、当該装置を使用できるように汚染された悪い味の水を許容レベルに浄化することである。水は凝固する凝結材料の活性炭によって濾過され、浄化される。
【０００８】
個人用の水浄化装置は、水中の生物学的、化学的及び有機的汚染物質を除去するか又は減少させる凝固する凝結吸着材料を使用する。当該装置は３つの主部分を有する。外側シェルは、
１）組み込まれた水入口及び残渣収集領域
２)内部の水フィルターユニット
３)迅速嵌合の取り外し可能なマウスピースバルブを有する。
【０００９】
使用上の指示。
【００１０】
Ｎａｈｌａｐｕｒ浄水器は、通常の水供給が遮断されるか又は危険にさらされるときの緊急事態に使用される。各々の水フィルターは、５５０リットルの飲料水に、あるいは流れる水に新鮮な味がしなくなるまで使用することができる。凝固する凝結材料のため、なお安全に水を飲むことができる。浄水器は携帯可能であり、使用が容易である。衛生目的で、迅速嵌合のマウスピースバルブは、簡単に引っ張って外して、他のバルブに置き換えることによって交換することができる。
【００１１】
使用に必要な品目
浄水器を取り付けるボトルネックを有する１.０リットル以下のボトル。
【００１２】
Ｎａｈｌａｐｕｒ浄水器を使用する方法
・凝固する凝結剤サッシェをボトル内に空ける。
【００１３】
・少なくとも一（１）分間ゆっくりと撹拌する。三（３）分間、ボトルをそのままにする。
【００１４】
・浄水器をボトルの上にはめ合わせ、ネックが充分にシールされていることを確認する。
【００１５】
・３０秒間ボトルの底部をグルグル回す。７分間待つ。
【００１６】
・するとボトルを傾け、口又は指でつまんで迅速嵌合のマウスピースを開くことによって浄水器から水を飲むことができる。
【００１７】
個人用の水浄化装置は、水中の生物学的、化学的及び有機的汚染物質を除去するか又は減少させる凝固する凝結吸着材料を使用する。当該装置は４つの主部分を有する。外側シェルは、１）組み込まれた水入口及び残渣収集領域、２)内部の水フィルターユニット、３)頂部カバー、及び４)迅速嵌合の取り外し可能なマウスピースバルブを有することが好ましい。
【国際調査報告】
2013542048.tif 000005
2013542048.tif 000006